(57)【要約】【課題】デッキのフロアの中間部に配置されるパネルだけではなく、フロアの端に配置されるパネルをも確実に固定することが出来る固定具を提供することにある。  【解決手段】側面に係合溝が穿設された複数枚のパネルをベース部材に並設するためのパネルの固定具であって、前記ベース部材の上面に固定するための一対の第１及び第２固定板部と、これら固定板部の境界から上方に延びる支持板部と、この支持板部の上端部から前記第１固定板部及び第２固定板部とほぼ平行に延びて、前記係合溝に係合可能な一対の第１係合板部及び第２係合板部とから構成され、前記第１固定板部と前記支持板部との境界及び第１係合板部と前記支持板部との境界には、第１固定板部及び第１係合板部が所定加重の作用により前記支持板部から離脱可能とする脆弱部が設けられ、脆弱部がライン状の溝から構成されている。【選択図】図５
2008240417.tif 000002
【特許請求の範囲】
【請求項１】
側面に係合溝が穿設された複数枚のパネルをベース部材に並設するためのパネルの固定具であって、前記ベース部材の上面に固定するための一対の第１及び第２固定板部と、これら固定板部の境界から上方に延びる支持板部と、この支持板部の上端部から前記第１固定板部及び第２固定板部とほぼ平行に延びて、前記係合溝に係合可能な一対の第１係合板部及び第２係合板部とから構成され、前記第１固定板部と前記支持板部との境界及び第１係合板部と前記支持板部との境界には、第１固定板部及び第１係合板部が所定加重の作用により前記支持板部から離脱可能とする脆弱部が設けられていることを特徴とするパネルの固定具。
【請求項２】
脆弱部がライン状の溝から構成されていることを特徴とする請求項１に記載のパネルの固定具。
【発明の詳細な説明】
【技術分野】
【０００１】
本発明は、主として屋外デッキのフロアを構成するパネルの固定具に関する。
【背景技術】
【０００２】
一般に屋外に設けるデッキは、設置面上に立設したベース部材上の外枠内に、細長い複数枚のパネルを併設するようにしているのであって、また以上のパネルを外枠内に固定する方法としては、パネルの側面に係合溝を形成する一方、別途形成した固定具を用いてパネルをバース部材上に固定するようにしている。
【０００３】
即ち、パネルを外枠内に固定する固定具として、パネルの係合溝内に挿入される左右一対の第１及び第２挿入板部と、これら両挿入板部の境界から下方に延びる脚板部と、この脚板部の下端から左右に延びる一対の第１及び第２固定板部から構成されたものを用いて、この固定具により、隣接して配置される２枚のパネルを固定するようにしている。（特許文献１参照）
即ち、パネル側面の係合溝内に第１挿入板部を挿入した上で、固定板部をベース部材上にビス止めし、続いてパネルを第１挿入板部で止められているパネルの横に配設すると共に、このパネルの係合溝に第２挿入板部を挿入するようにして、前述の固定具により、隣接する２枚をベース部材に固定するようにしている。
【０００４】
しかしながら外枠に隣接して配設される端のパネルをベース部材に固定する場合、前述の構造の固定板部では、挿入部及び固定部の一方が外枠に当接することから、端のパネルを外枠に接して固定することが出来ない。
【０００５】
そこで従来では、前記した固定具の他に、脚板部の上端と下端に第1挿入板部と第１固定板部のみを設けた固定具を別途形成して、この固定具により、端のパネルをベース部材に固定するようにしているのが現状である。
【０００６】
そのため、以上の固定具では、作業現場に応じてそれぞれの固定金具の個数を手配する必要があって、煩雑となるばかりか、ともすると手配する数量の間違いなどにより、例えば端部側固定金具が余ったり、センター側固定金具が不足するなどのトラブルが発生して、パネルの固定作業が行なえず、デッキの施工を遅らせる原因ともなる。
【特許文献１】特開平７−２１７１６２号公報
【発明の開示】
【発明が解決しようとする課題】
【０００７】
本発明は以上の実情に鑑みて開発したものであって、目的とするところは、例えばフロアの中間部に配置されるパネルだけではなく、フロアの端に配置されるパネルをも確実に固定することが出来る固定具を提供することにある。
【課題を解決するための手段】
【０００８】
以上の目的を達成するため、請求項１に記載の発明は、側面に係合溝が穿設された複数枚のパネルをベース部材に並設するためのパネルの固定具であって、前記ベース部材の上面に固定するための一対の第１及び第２固定板部と、これら固定板部の境界から上方に延びる支持板部と、この支持板部の上端部から前記第１固定板部及び第２固定板部とほぼ平行に延びて、前記係合溝に係合可能な一対の第１係合板部及び第２係合板部とから構成され、前記第１固定板部と前記支持板部との境界及び第１係合板部と前記支持板部との境界には、第１固定板部及び第１係合板部が所定加重の作用により前記支持板部から離脱可能とする脆弱部が設けられていることを特徴とするものである。
【０００９】
請求項２に記載の発明は、請求項１に記載の脆弱部がライン状の溝から構成されていることを特徴とするものである。
【発明を実施するための最良の形態】
【００１０】
以下、本発明にかかる固定具の一実施形態を説明する。
【００１１】
図１は、家屋に隣接して設置する屋外型のデッキを概略的に示したものであって、図に示す実施形態では、このデッキ１のフロアを構成するパネル２の固定具３に本発明を適用している。
【００１２】
図１に示すデッキ１は、地面に立設した複数の束柱（図示せず）間にベース部材としての根太１０を掛け渡し、この根太１０に幅の狭い長尺のパネル２を複数枚並べて、これらパネル２を根太１０に本発明にかかる固定具３を介して固定するようにしている。
【００１３】
根太１０は、断面ハット型に形成したアルミニウム製のものが用いられ、その上壁１１上にパネル２が固定されるのであって、また前述の複数枚のパネル２が敷設される周囲には外枠１２が設けられ、この外枠１２内に前記パネル２が並設される。
【００１４】
パネル２は、水分を除去した木屑と合成樹脂と有機強化剤等を溶融混合して、押し出し成型機により細長いプレート状に形成したものであって、このパネル２の幅方向両端部の側面中央部には、長さ方向に延びる係合溝２１が形成されている。
【００１５】
一方、固定具３はアルミの押し出し成型により形成された型材を所定長さに切断したものであって、この固定具３は、根太１０の上壁１１上に固定される一対の第１固定板部３１及び第２固定板部３２と、これら第１、第２固定板部３１・３２の境界から上方に延びる支持板部３３と、この支持板部３３の上端から前記第１固定板部３１及び第２固定板部３２に対してほぼ平行に延びて、その先端部が前記係合溝２１に係合可能な一対の第１係合板部３４及び第２係合板部３５から構成されている。
【００１６】
そして、第１固定板部３１と支持板部３３との境界並びに第１係合板部３４と支持板部３３との境界には、第１固定板部３１及び第１係合板部３３が所定加重の作用により支持板部３３から離脱可能とするそれぞれ上下一組の脆弱部４ａ・４ｂが設けられている。
【００１７】
この脆弱部４ａ・４ｂは、支持板部の外面に連続して垂直方向に延びる垂直面とこの垂直面に対して傾斜する傾斜面により画成された略Ｖ溝から構成されて、破断に伴う破断面が支持板の外面とほぼ面一になるようにしており、この脆弱部４ａ・４ｂは、脆弱部４ａ・４ｂは、第１固定板部３１と支持板部３３との境界並びに第１係合板部３４と支持板部３３との境界に沿って直線状（ライン状）に延びている。
【００１８】
また第２固定板部３２の先端には固定片３６が一体形成され、この固定片３６には、止め具としてのタッピングスクリュー５の挿通孔３７が形成されている。
【００１９】
以上の構造からなる固定具３によりパネル２を根太１０上に組み付けて、デッキ１のフロアを敷設するには、外枠１２内の一端側からパネル２を順次組み付けていくのであって、外枠１２内の一端に敷設するパネル２−１の固定に際しては、先ず図５に示すように、固定具３の第１固定板部３１及び第１係合板部３４をペンチなどの工具Ｐで挟み、第１固定板部３１及び第１係合板部３４に所定の加重をかけて、これら第１固定板部３１及び第１係合板部３４を脆弱部４ａ・４ｂのラインに沿って折る。
【００２０】
そして、図６−Ａで示すように、第１固定板部３１及び第１係合板部３４が切り取られた固定具３−１を外枠１２内の一端に配置して、タッピングスクリュウ５を固定片３６の挿通孔３７を介して根太１０の上壁１１にねじ込んで、固定具３−１を根太１０に固定する。
【００２１】
そして図６−Ｂで示すように、パネル２−１を外枠１２内の一端に配設すると共に、パネル２−１の一端側の係合溝２１に第２係合板部３４を嵌合させる。
【００２２】
続いて図６−Ｃで示すように、パネル２−１の他端側に、第１固定板部３１及び第１係合板部３４が切り取られていない固定具３−２を配設して、この固定具３−２の第１係合板部３４をパネル２−１の他端側の係合溝２１に嵌合させた後、この固定具３−２における固定片３６の挿通孔３７にタッピングスクリュウ５を挿通すると共に、その挿通端部を根太１０の上壁１１にねじ込んで、固定具３−２を根太１０に固定する。
【００２３】
続いて、図６−Ｄで示すように次のパネル２−２の一端側の係合溝２１に固定具３−２の第２係合板部３５を嵌合させた後、更にこのパネル２−２の他端側に第１固定板部３１及び第１係合板部３４が切り取られていない固定具３を配設して、この固定具３の第１係合板部３４をパネル２−２の他端側の係合溝２１に嵌合させた後、この固定具３における固定片３６の挿通孔３７にタッピングスクリュウ５を挿通すると共に、その挿通端部を根太１０の上壁１１にねじ込んで、固定具３を根太１０に固定する。
【００２４】
以上のようにして、複数枚のパネル２を固定具３を介して根太１０上に順次組み付けるのである。
【００２５】
斯くして以上の固定具３では、固定具３の第１固定板部３１及び第１係合板部３４を脆弱部４ａ・４ｂのラインに沿って適宜折るだけで、例えばデッキ１の外枠１２内の一端に敷設するパネル２−１の固定に用いる固定具３として直ちに利用することが出来るので、従来のように、複数の種類の固定具を用意する必要がなく、施工現場において適宜固定板部３１及び第１係合板部３４を適宜除去するだけで、複数の異なる部位への利用が可能となり、固定金具３が不足するなどのトラブルを解消することが出来る。
【００２６】
以上の実施形態では、固定具３を根太１０に固定するのにタッピングスクリュー５を用いたが、これに限定されるものではなく、例えばボルトナットを用いてもよい。
【００２７】
また以上の実施形態では、デッキ１のフロアを構成するパネルの固定具に本発明を適用したが、これに限定されるものではなく、例えば家屋の部屋のフロアを構成するパネルの固定具に適用してもよいし、あるいは家屋の壁面や天井面を構成するパネルの固定具に適用してもよい。
【図面の簡単な説明】
【００２８】
【図１】本発明にかかる固定具の一実施形態を示す斜視図。
【図２】同、正面図。
【図３】同、平面図。
【図４】本発明にかかる固定具の使用例を示す説明図。
【図５】固定具の説明図。
【図６】固定具によりパネルを固定する工程を示す説明図。
【符号の説明】
【００２９】
１        デッキ
１０      根太（ベース部材）
１２      外枠
２        パネル
２１      係合溝
３        固定具
３１      第１固定板部
３２      第２固定板部
３３      支持板部
３４      第１係止板部
３５      第２係止板部
３６      固定片
３７      挿通孔
４ａ      脆弱部
４ｂ      脆弱部
【図１】
2008240417.tif 000003
【図２】
2008240417.tif 000004
【図３】
2008240417.tif 000005
【図４】
2008240417.tif 000006
【図５】
2008240417.tif 000007
【図６】
2008240417.tif 000008